(57)【要約】  物理的気相堆積ターゲットアセンブリと、物理的気相堆積ターゲットアセンブリを冷却する方法が開示されている。例示のターゲットアセンブリは、注入端部と排出端部とに流体接続されている複数の列部と湾曲部とを含む流れパターンを含む。【選択図】図５
2020504244.tif 000002
【特許請求の範囲】
【請求項１】
物理的気相堆積ターゲットアセンブリであって、
原料と、
前面及び裏面を有するバッキング板であって、前記バッキング板の前面に前記原料を支持するように構成されたバッキング板と、
冷却流体に接続されるように構成された注入端部、前記注入端部に流体連結された排出端部、及び前記注入端部と前記排出端部との間の複数の湾曲部を含む冷却チューブであって、物理的気相堆積処理中に前記バッキング板と前記原料を冷却するため、前記バッキング板の前記裏面に隣接して配置されるように構成された冷却チューブと、
を備える、物理的気相堆積ターゲットアセンブリ。
【請求項２】
前記冷却チューブは前記バッキング板から分離し、前記冷却チューブは前記冷却流体を含む冷却閉ループを提供する、請求項１に記載の物理的気相堆積ターゲットアセンブリ。
【請求項３】
前記複数の湾曲部は、複数の列部を含む流れパターンを画定し、前記バッキング板は更に、前記冷却チューブを受容するように構成された前記裏面にチャネルを備える、請求項１に記載の物理的気相堆積ターゲットアセンブリ。
【請求項４】
前記流れパターンは、少なくとも６つの列部と５つの湾曲部とを備える、請求項３に記載の物理的気相堆積ターゲットアセンブリ。
【請求項５】
前記流れパターンは、第１の列部のペアと第２の列部のペアとを備え、前記注入端部が分岐接続によって前記第１の列部のペアと第２の列部のペアとに流体接続された単一の列部に流体接続され、前記排出端部が前記第１の列部のペアと第２の列部のペアとに流体接続されている、請求項２に記載の物理的気相堆積ターゲットアセンブリ。
【請求項６】
前記流れパターンは、第１の列部のペアと第２の列部のペアとを備え、前記注入端部が分岐接続によって前記第１の列部のペアと第２の列部のペアとに流体接続された単一の列部に流体接続され、前記排出端部が前記第１の列部のペアと第２の列部のペアとに流体接続されている、請求項３に記載の物理的気相堆積ターゲットアセンブリ。
【請求項７】
前記冷却チューブは、単一の注入端部と単一の排出端部とを備える、請求項６に記載の物理的気相堆積ターゲットアセンブリ。
【請求項８】
前記冷却チューブは、複数の注入端部と複数の排出端部のうちの少なくとも１つを備える、請求項６に記載の物理的気相堆積ターゲットアセンブリ。
【請求項９】
カバー板を更に備え、前記冷却チューブが前記バッキング板と前記カバー板との間に配置されている、請求項３に記載の物理的気相堆積ターゲットアセンブリ。
【請求項１０】
物理的気相堆積ターゲットアセンブリであって、
原料と、
前面及び裏面を有するバッキング板であって、前記バッキング板の前面に前記原料を支持するように構成されたバッキング板と、
前記バッキング板に連結されたカバー板と、
前記カバー板と前記バッキング板との間に配置されたチャネルとを備え、前記チャネルは、注入端部と排出端部とに流体接続されている少なくとも４つの列部と３つの湾曲部とを含む流れパターンを画定する複数の湾曲部を含み、前記チャネルは、物理的気相堆積処理中に、前記バッキング板と前記ターゲットを冷却するため、前記バッキング板の前記裏面に隣接して冷却流体を流すように構成されている、物理的気相堆積ターゲットアセンブリ。
【請求項１１】
前記チャネルは、前記注入端部に流体接続されている注入列を含む少なくとも５つの列部を含む流れパターンを画定し、前記注入列は、分岐接続によって第１の列部のペアと第２の列部のペアとに流体接続されている、請求項１０に記載の物理的気相堆積ターゲットアセンブリ。
【請求項１２】
前記チャネルは、少なくとも６つの列部と５つの湾曲部とを備える流れパターンを画定している、請求項１１に記載の物理的気相堆積ターゲットアセンブリ。
【請求項１３】
前記チャネルは、第１の列部のペアと第２の列部のペアとを備える流れパターンを画定し、前記注入端部は分岐接続によって前記第１の列部のペアと第２の列部のペアとに流体接続された単一の列部に流体接続され、前記排出端部は前記第１の列部のペアと第２の列部のペアとに流体接続されている、請求項１０に記載の物理的気相堆積ターゲットアセンブリ。
【請求項１４】
前記チャネル内に配置され、前記注入端部及び前記排出端部とに流体接続されたチューブを更に備える、請求項１０に記載の物理的気相堆積ターゲットアセンブリ。
【請求項１５】
物理的気相堆積ターゲットを冷却する方法であって、物理的気相堆積処理中に、請求項１０に記載のチャネルを通って冷却流体を連続的に流すことを含む、方法。
【発明の詳細な説明】
【技術分野】
【０００１】
［０００１］  本開示は概して基板処理システムに関し、より具体的には物理的気相堆積（ＰＶＤ）処理システムに関する。
【背景技術】
【０００２】
［０００２］  物理的気相堆積（ＰＶＤ）チャンバ等のプラズマ強化基板処理システムでは、高い磁場及び高い直流電力を用いた高出力密度のＰＶＤスパッタリングにより、スパッタリングターゲットにおいて高いエネルギーが発生し、スパッタリングターゲットの表面温度が大幅に上昇する場合がある。スパッタリングターゲットは、ターゲットのバッキング板を冷却流体に接触させることによって冷却される。しかしながら、上記冷却は、ターゲットからの熱を捕らえて除去するのには十分ではない可能性があることが分かっている。ターゲットに熱が残った結果、スパッタ材料とバッキング板全体の熱勾配に起因する大きな機械的反りが生じうる。機械的反りは、処理されるウエハのサイズが大きければ大きいほど増加する。この更に大きいサイズにより、ターゲットが熱、圧力、及び重力荷重下で反る／変形する傾向が悪化する。反りの影響には、ターゲット材料において誘発される破砕につながりうる機械応力、ターゲットの損傷、及びプラズマ特性に変化を生じさせうる（例えば、プラズマを維持する能力、スパッタ／堆積速度、及びターゲットの腐食に影響を与える最適なあるいは好ましい処理条件から処理レジームが逸脱する）磁石アセンブリからターゲット材料の面までの距離の変化が含まれうる。
【０００３】
［０００３］  加えて、ターゲットの温度が高いとターゲット材料の再スパッタリングが起こり、これは、粒子が生成され、ＰＶＤチャンバの他の部品及びチャンバ内で処理されるウエハに欠陥が生じる原因となる。ターゲット冷却の温度管理は、ターゲットの寿命のためだけでなく、粒子及び欠陥を削減するためにも重要であり、これによって工程の歩留まりが改善する。物理的気相堆積処理中にＰＶＤターゲットを効率的に冷却する装置及び方法を提供する必要がある。
【発明の概要】
【０００４】
［０００４］  本開示の一又は複数の実施形態は、物理的気相堆積ターゲットアセンブリを対象としたものであり、物理的気相堆積ターゲットアセンブリは、原料と、前面及び裏面を有するバッキング板であって、バッキング板の前面に原料を支持するように構成されたバッキング板と、冷却流体に接続されるように構成された注入端部、注入端部に流体連結された排出端部、及び注入端部と排出端部との間の複数の湾曲部を含む冷却チューブであって、物理的気相堆積処理中にバッキング板と原料を冷却するため、バッキング板の裏面に隣接して配置されるように構成された冷却チューブと、を備える。
【０００５】
［０００５］  別の態様は、物理的気相堆積ターゲットアセンブリに関連し、物理的気相堆積ターゲットアセンブリは、原料と、前面及び裏面を有するバッキング板であって、バッキング板の前面に原料を支持するように構成されたバッキング板と、バッキング板に連結されたカバー板と、カバー板とバッキング板との間に配置されたチャネルとを備え、チャネルは、注入端部と排出端部とに流体接続されている少なくとも４つの列部と３つの湾曲部とを含む流れパターンを画定する複数の湾曲部を含み、また、チャネルは、物理的気相堆積処理中にバッキング板とターゲットとを冷却するために、バッキング板の裏面に隣接して冷却流体を流すように構成されている。
【０００６】
［０００６］  本開示の上述の特徴を詳細に理解することができるように、上記で簡単に要約された本開示のより具体的な説明は、実施形態を参照することによって、得ることができる。そのうちの幾つかの実施形態は添付の図面で例示されている。しかし、添付の図面は本開示の典型的な実施形態のみを示すものであり、したがって、本開示の範囲を限定するものと見なすべきではなく、本開示は他の等しく有効な実施形態も許容しうることに留意されたい。  
【図面の簡単な説明】
【０００７】
【図１】本開示の幾つかの実施形態による処理チャンバの概略断面図である。
【図２】従来のターゲットアセンブリの斜視図を示す。
【図３】図２の線３−３に沿って切り取った断面図を示す。
【図４】従来のターゲットアセンブリの断面図を示す。
【図５】一実施形態によるターゲットアセンブリの斜視図を示す。
【図６】図５の線６−６に沿って切り取った断面図を示す。
【図７Ａ】一実施形態によるターゲットアセンブリの断面図を示す。
【図７Ｂ】一実施形態によるターゲットアセンブリの断面図を示す。
【図７Ｃ】一実施形態によるターゲットアセンブリの断面図を示す。
【図８】一実施形態による流れパターンを画定するチャネルを示す。
【図９】一実施形態による流れパターンを画定するチャネルを示す。
【図１０】一実施形態による流れパターンを画定するチャネルを示す。
【図１１】一実施形態によるマルチカソードＰＶＤ堆積チャンバを示す。
【発明を実施するための形態】
【０００８】
［００２０］  本開示の幾つかの例示的な実施形態を説明する前に、本開示が以下の説明で提示される構成又は処理ステップの詳細に限定されないということを理解されたい。本開示は、他の実施形態も可能であり、様々な方法で実施又は実行することができる。
【０００９】
［００２１］  本明細書で使用する「水平」という語は、その配向性と関係なく、マスクブランクの面又は表面に平行する面として定義される。「垂直」という語は、ここで定義されたように水平に対して垂直の方向を指すものである。例えば「上方（ａｂｏｖｅ）」、「下方（ｂｅｌｏｗ）」、「底部（ｂｏｔｔｏｍ）」、「上部（ｔｏｐ）」、（「側壁」等における）「側方（ｓｉｄｅ）」、「高い（ｈｉｇｈｅｒ）」、「低い（ｌｏｗｅｒ）」、「上方（ｕｐｐｅｒ）」、「上側（ｏｖｅｒ）」、「下側（ｕｎｄｅｒ）」等の語は、図に示すように、水平面に対して定義される。
【００１０】
［００２２］  「の上（ｏｎ）」という語は、要素間で直接の接触があることを示す。「すぐ上、真上（ｄｉｒｅｃｔｌｙ  ｏｎ）」という語は、介在する要素がない要素間での直接の接触を示す。
【００１１】
［００２３］  本明細書及び添付の特許請求の範囲で使用する場合、「前駆体」、「反応物質」、「反応性ガス」などの用語は、基板表面と反応することができる任意のガス種を指すために、交換可能に使用される。
【００１２】
［００２４］  当業者であれば、処理領域について説明するための「第１（ｆｉｒｓｔ）」や「第２（ｓｅｃｏｎｄ）」などの序数の使用が、処理チャンバにおける具体的な場所、又は、処理チャンバ内での曝露の順序を示唆するものではないことが理解されよう。
【００１３】
［００２５］  図１に、本開示の幾つかの実施形態による物理的気相堆積（ＰＶＤ）処理システム１００の簡略断面図を示す。本書に記載の教示内容による変更に適切な他のＰＶＤチャンバ例には、カリフォルニア州サンタクララのアプライドマテリアルズ社からいずれも市販されているＡＬＰＳ（登録商標）Ｐｌｕｓ及びＳＩＰ  ＥＮＣＯＲＥ（登録商標）ＰＶＤ処理チャンバが含まれる。ＰＶＤ以外の他の種類の処理用に構成されたものを含む、アプライドマテリアルズ社又は他のメーカーからの他の処理チャンバもまた、本書に開示されている教示内容による変更から恩恵を受けることができる。
【００１４】
［００２６］  本開示の幾つかの実施形態では、ＰＶＤ処理システム１００は、処理チャンバ１０４の上に取り外し可能に配置されたチャンバ本体１０１を含む。チャンバ本体１０１は、ターゲットアセンブリ１１４と接地アセンブリ１０３とを含みうる。処理チャンバ１０４は、上に基板１０８を受け入れるための基板支持体１０６を含む。基板支持体１０６は、処理チャンバ１０４のチャンバ壁であってよい、下方接地エンクロージャ壁１１０内に位置していてよい。下方接地エンクロージャ壁１１０は、高周波帰還経路がチャンバ本体１０１の上に配置される高周波又は直流電源１８２に配設されるように、チャンバ本体１０１の接地アセンブリ１０３に電気的に結合されうる。高周波又は直流電源１８２は、以下に説明するように、ターゲットアセンブリ１１４へ高周波又は直流電力を送りうる。
【００１５】
［００２７］  基板支持体１０６は、ターゲットアセンブリ１１４の主面に面し、ターゲットアセンブリ１１４の主面の反対側の平面位置においてスパッタコーティングされる基板１０８を支持する材料受け入れ面を有する。基板支持体１０６は、処理チャンバ１０４の中心領域１２０において基板１０８を支持しうる。中心領域１２０は、処理中は（例えば、処理位置にあるときは、ターゲットアセンブリ１１４と基板支持体１０６との間の）基板支持体１０６の上の領域として画定される。
【００１６】
［００２８］  幾つかの実施形態では、基板支持体１０６は、処理チャンバ１０４の下部のロードロックバルブ（図示せず）を通して基板支持体１０６上に基板１０８を移送し、その後堆積、又は処理位置へ持ち上げることができるように、垂直に可動であってよい。処理チャンバ１０４の外の大気から処理チャンバ１０４の内部容積を分離させ続けながら基板支持体１０６の垂直移動を促進するために、底のチャンバ壁１２４に接続されたベローズ１２２が設けられうる。ガス供給源１２６から一又は複数のガスが、質量流コントローラ１２８を通して処理チャンバ１０４の下部の中へ供給されうる。処理チャンバ１０４内部を排気して、処理チャンバ１０４内の所望の圧力を維持しやすくするために排気口１３０が設けられ、バルブ１３２を介してポンプ（図示せず）に連結されうる。
【００１７】
［００２９］  基板１０８上にマイナスの直流バイアスを誘発するために、基板支持体１０６に高周波バイアス電源１３４が連結されうる。加えて、幾つかの実施形態では、処理中に基板１０８上にマイナスの直流セルフバイアスが形成されうる。例えば、高周波バイアス電源１３４によって供給される高周波エネルギーは、約２ＭＨｚから約６０ＭＨｚまでの周波数範囲であってよく、例えば約２ＭＨｚ、１３．５６ＭＨｚ、又は６０ＭＨｚ等の非限定的な周波数が使用されうる。他の用途では、基板支持体１０６は接地されてもよく、あるいは電気的に浮遊したままであってもよい。代替的に、又は組み合わせて、高周波バイアス電力が好ましくない場合がある用途において基板１０８上の電圧を調節するために、キャパシタンス調節器１３６が基板支持体１０６に連結されていてよい。
【００１８】
［００３０］  処理チャンバ１０４は更に、処理チャンバ１０４の処理容積又は中心領域１２０を囲むため及び処理による損傷及び／又は汚染から他のチャンバ構成要素を保護するために、処理キットシールド、又はシールド１３８を含む。幾つかの実施形態では、シールド１３８は、処理チャンバ１０４の上方接地エンクロージャ壁１１６のレッジ１４０に接続されうる。図１に示すように、チャンバ本体１０１は、上方接地エンクロージャ壁１１６のレッジ１４０に置かれうる。下方接地エンクロージャ壁１１０と同様に、上方接地エンクロージャ壁１１６は、下方接地エンクロージャ壁１１６と、チャンバ本体１０１の接地アセンブリ１０３との間に高周波帰還経路の一部を提供しうる。しかしながら、接地シールド１３８を介して等、他の高周波帰還経路が可能である。
【００１９】
［００３１］  シールド１３８は下向きに延在し、中心領域１２０をほぼ囲む概ね一定の直径を有する一般的に管状の部分を含みうる。シールド１３８は、上方接地エンクロージャ壁１１６及び下方接地エンクロージャ壁１１０の壁に沿って基板支持体１０６の上面の下まで下向きに延在し、基板支持体１０６（シールド１３８の底部においてＵ字部分を形成する）の上面に到達するまで上向きに戻る。カバーリング１４８は、スパッタ堆積から基板支持体１０６を保護するために、基板支持体１０６がそれ自体の下方のロード位置にあるときは、上向きに延在しているシールド１３８の内部の上に置かれ、基板支持体１０６がそれ自体の上方の堆積位置にあるときは、基板支持体１０６の外周に置かれる。付加的な堆積リング（図示せず）を使用して、基板１０８のエッジ周囲への堆積から基板支持体１０６のエッジを保護することができる。
【００２０】
［００３２］  幾つかの実施形態では、磁石１５２は、基板支持体１０６とターゲットアセンブリ１１４との間に磁場を選択的に発生させるために、処理チャンバ１０４の近くに配置されうる。例えば、図１に示すように、磁石１５２は、処理位置にあるときに、基板支持体１０６の真上の領域内のエンクロージャ壁１１０の外側の近くに配置されうる。幾つかの実施形態では、磁石１５２は、例えば上方接地エンクロージャ壁１１６の隣等の他の場所に付加的に又は代替的に配置されうる。磁石１５２は電磁石であってよく、電磁石によって生成される磁場の規模を制御するための電源（図示せず）に連結されうる。
【００２１】
［００３３］  チャンバ本体１０１は一般に、ターゲットアセンブリ１１４の近くに配置された接地アセンブリ１０３を含む。接地アセンブリ１０３は、ターゲットアセンブリ１１４の裏側とおおよそ平行であり、ターゲットアセンブリ１１４の裏側の反対側であってよい第１の面１５７を有する接地板１５６を含みうる。接地シールド１１２は、接地板１５６の第１の面１５７から延在し、ターゲットアセンブリ１１４を囲んでいてよい。接地アセンブリ１０３は、接地アセンブリ１０３内でターゲットアセンブリ１１４を支持する支持部材１７５を含みうる。
【００２２】
［００３４］  幾つかの実施形態では、支持部材１７５は、支持部材１７５の外側周辺エッジに近接した接地シールド１１２の下方端部に連結され、シールリング１８１、ターゲットアセンブリ１１４、及びオプションとして暗空間シールド１７９を支持するために半径方向内向きに延在しうる。シールリング１８１は、所望の断面を有するリング又は他の環状形であってよい。シールリング１８１は、シールリング１８１の第１の側面上のターゲットアセンブリ１１４、例えばバッキング板アセンブリ１６０とのインタフェーシング、及びシールリング１８１の第２の側面上の支持部材１７５とのインタフェーシングを促進するために、２つの対向する平面、及びほぼ平行な面を含みうる。シールリング１８１は、セラミックなどの誘電体材料から作られうる。シールリング１８１は、接地アセンブリ１０３からターゲットアセンブリ１１４を絶縁しうる。
【００２３】
［００３５］  暗空間シールド１７９は一般的に、ターゲットアセンブリ１１４の外側エッジの近く、つまりターゲットアセンブリ１１４の原料１１３の外側エッジの近くに配置される。幾つかの実施形態では、シールリング１８１は、暗空間シールド１７９の外側エッジ（すなわち、暗空間シールド１７９の半径方向外向き）に隣接して配置される。幾つかの実施形態では、暗空間シールド１７９は、例えばセラミック等の誘電体材料でできている。暗空間シールド１７９を設けることによって、高周波で高温となった、暗空間シールドと、隣接する構成要素との間のアーキング（アーク放電）が回避されうる、あるいは最小限に抑えられうる。あるいは、幾つかの実施形態では、暗空間シールド１７９は、例えばステンレス鋼、アルミニウム等の導電性材料でできている。導電性暗空間シールド１７９を設けることによって、ＰＶＤ処理システム１００内でより均一な電場を維持することができ、これにより、その中の基板をより均一に処理することが促進される。幾つかの実施形態では、暗空間シールド１７９の下部は導電性材料でできていてよく、暗空間シールド１７９の上部は誘電体材料でできていてよい。
【００２４】
［００３６］  支持部材１７５は、暗空間シールド１７９及びターゲットアセンブリ１１４を収容する中心開口部を有するおおよそ平面の部材であってよい。幾つかの実施形態では、支持部材１７５は、円形、又は円盤状の形状であってよいが、形状は、チャンバリッドの対応する形状、及び／又はＰＶＤ処理システム１００内で処理される基板の形状によって変化しうる。使用中、チャンバ本体１０１が開放又は閉鎖されているときに、ターゲットアセンブリ１１４に対して適切に揃えられるように支持部材１７５が暗黒空間シールド１７９を維持することにより、チャンバアセンブリ、あるいはチャンバ本体１０１の開放及び閉鎖に起因する不揃いの危険性が最小限に抑えられる。
【００２５】
［００３７］  ＰＶＤ処理システム１００は、ターゲットアセンブリ１１４の裏側に対向し、ターゲットアセンブリ１１４の周辺エッジに沿ってターゲットアセンブリ１１４に電気的に結合されているソース分配板１５８を含みうる。ターゲットアセンブリ１１４は、基板、例えばスパッタリング中の基板１０８に堆積される、金属、金属酸化物、金属合金等の原料１１３を含みうる。一又は複数の実施形態では、ターゲットアセンブリ１１４は、原料１１３を支持するために、バッキング板アセンブリ１６０を含む。原料１１３は、図１に示すように、バッキング板アセンブリ１６０の側面に向いた基板支持体に配置されうる。バッキング板アセンブリ１６０は、導電性材料、例えば銅−亜鉛、銅−クロム、又はターゲットと同じ材料を含んでいてよく、これにより、バッキング板アセンブリ１６０を介して原料１１３に高周波及び直流電力が結合されうる。あるいは、バッキング板アセンブリ１６０は非導電性であってよく、例えば電気フィードスルー等の導電素子（図示せず）を含んでいてよい。
【００２６】
［００３８］  一又は複数の実施形態では、バッキング板アセンブリ１６０は、バッキング板１６１とカバー板１６２とを含む。バッキング板１６１とカバー板１６２とは、ＰＶＤ処理システム１００によって収容可能な円盤状、長方形、正方形、又は、他のいずれかの形状であってよい。バッキング板の前面は、基板１０８がある場合、原料の前面が基板１０８に対向するように、原料１１３を支持するように構成される。原料１１３は、いずれかの好適な方法でバッキング板１６１に結合されうる。例えば、幾つかの実施形態では、原料１１３はバッキング板１６１に拡散接合されうる。
【００２７】
［００３９］  バッキング板１６１とカバー板１６２との間に複数のチャネル１６９が配置されうる。一又は複数の実施形態では、バッキング板１６１は、バッキング板１６１の裏側に形成された複数のチャネル１６９を有していてよく、カバー板１６２は各チャネルの上のキャップ／カバーを提供する。他の実施形態では、複数のチャネル１６９は、部分的にバッキング板１６１に、部分的にカバー板１６２に形成されうる。また、他の実施形態では、複数のチャネル１６９は完全にカバー板１６２内に形成され、バッキング板は、複数のチャネル１６９の各々をキャップ／カバーしうる。バッキング板１６１及びカバー板１６２は互いに連結されうる。幾つかの実施形態では、複数のチャネル１６９は、冷却流体を流すように構成され、バッキング板１６１とカバー板１６２とは、複数のチャネル１６９に送られる冷却液の漏れを防止するために互いに連結され、実質的な防水シール（例：バッキング板１６１とカバー板１６２との間の流体シール）を形成する。つまり、冷却流体は、チャネル１６９と直接接触する。例えば、幾つかの実施形態では、バッキング板１６１とカバー板１６２とは互いにろう付けされて実質的な防水シールを形成する、あるいは、バッキング板１６１とカバー板１６２とは拡散接合、ろう付け、糊付け、ピン止め、リベット打ち、又は他のいずれかの固定手段によって結合されて、液体シールを形成し、バッキング板１６１とカバー板１６２との間に形成されたチャネル１６９は、冷却流体と直接接触する。以下で更に説明するように、本開示の幾つかの実施形態によれば、冷却流体がチャネル１６９内に配置されたチューブ内に含まれるため、バッキング板１６１とカバー板１６２との間に流体密封シールは必要ない。
【００２８】
［００４０］  バッキング板１６１及びカバー板１６２は、例えば真ちゅう、アルミニウム、銅、アルミニウム合金、銅合金等を含む導電性金属又は金属合金等の導電性材料を含みうる。幾つかの実施形態では、チャネルが機械加工されうる、あるいはそうでなければバッキング板１６１の表面上に形成されうるように、バッキング板１６１は、機械加工可能な金属又は金属合金（例：Ｃ１８２００クロム銅合金）であってよい。幾つかの実施形態では、カバー板１６２は、バッキング板アセンブリ１６０の剛性を改善し、変形を抑えるために、バッキング板の金属又は金属合金よりも高い剛性／弾性率を有する機械加工可能な金属又は金属合金（例：Ｃ１８２００クロム銅合金）であってよい。バッキング板１６１とカバー板１６２の材料及びサイズは、バッキング板アセンブリ１６０全体の剛性により、原料１１３を含むターゲットアセンブリ１１４の変形あるいは反りが起きることなく（又は非常にわずかしか起きずに）、堆積処理中にターゲットアセンブリ１１４に作用する真空力、重力、熱的力、及び他の力に耐えるようなもので（すなわち、原料１１３の前面は基板１０８の上面に対してほぼ平行のままで）なければならない。
【００２９】
［００４１］  幾つかの実施形態では、ターゲットアセンブリ１１４の全厚は約２０ｍｍと約１００ｍｍとの間であってよい。例えば、原料１１３は約１０〜約１５ｍｍの厚さであってよく、バッキング板アセンブリは約１０〜約３０ｍｍの厚さであってよい。他の厚さも使用することができる。
【００３０】
［００４２］  複数のチャネル１６９は、一又は複数のチャネルのセット（以下に詳細に説明する）を含みうる。例えば、幾つかの例示の実施形態では、１つのチャネルのセットが存在しうる。他の実施形態では、２つ以上のチャネルのセットが存在しうる。各チャネルのサイズ及び断面形状、及び各セットのチャネルの数、及びチャネルの数は、以下の特性：すなわち、チャネルを通る好ましい最大流量、及び全てのチャネルを通る全体の好ましい最大流量の提供、最大伝熱特性の提供、バッキング板１６１とカバー板１６２内のチャネルの製造の容易性及び一貫性、負荷下のバッキング板アセンブリ１６０の変形を防止するのに十分な構造的完全性を保持しながら、バッキング板アセンブリ１６０の表面の上への最大熱交換流範囲の提供等のうちの一又は複数に基づいて最適化されうる。幾つかの実施形態では、各チャネルの断面形状は、長方形、多角形、楕円形、円形等であってよい。
【００３１】
［００４３］  幾つかの実施形態では、ターゲットアセンブリは、チャネル１６９又はチューブに流体連結されている（図１に示していないが、以下に詳細に説明する）一又は複数の注入口を含む。一又は複数の注入口は、熱交換流体を受け入れ、熱交換流体を複数のチャネル１６９又はチューブに送るように構成される。例えば、一又は複数の排出口のうちの少なくとも１つは、複数の一又は複数のチャネル１６９又はチューブから熱交換流体を収集するプレナムであってよい。アセンブリは更に、カバー板１６２を通して配置され、複数のチャネル１６９又はチューブによって、対応する注入口に流体連結された一又は複数の排出口（図１に示せず、以下に詳細に示す）を含む。例えば、一又は複数の排出口のうちの少なくとも１つは、複数の一又は複数のチャネル又はチューブから熱交換流体を収集するプレナムであってよい。幾つかの実施形態では、１つの注入口及び１つの排出口が設けられ、複数のチャネル１６９のセット内の各チャネルのセットは、１つの注入口及び１つの排出口に流体連結される。
【００３２】
［００４４］  注入口及び排出口は、カバー板１６２又はバッキング板１６１の周辺エッジに、あるいは周辺エッジ近くに配置されうる。加えて、注入口及び排出口は、一又は複数の注入口に連結された供給導管１６７及び、一又は複数の排出口に連結された戻し導管が空洞１７０内のマグネトロンアセンブリ１９６の回転に干渉しないように、カバー板１６２に配置されうる。他の実施形態では、注入口及び排出口は、一又は複数の注入口に連結された供給導管１６７及び、一又は複数の排出口に連結された戻し導管（断面のため図示せず）が空洞１７０内のマグネトロンアセンブリ１９６の回転に干渉しないように、バッキング板１６１に配置されうる。更に別の実施形態では、注入口及び排出口は、一又は複数の注入口に連結された供給導管１６７及び、一又は複数の排出口に連結された戻し導管（断面のため図示せず）が空洞１７０内のマグネトロンアセンブリ１９６の回転に干渉しないように、チューブに連結されうる。
【００３３】
［００４５］  幾つかの実施形態では、ＰＶＤ処理システム１００は、熱交換流体をバッキング板アセンブリ１６０に供給するための一又は複数の供給導管１６７を含みうる。幾つかの実施形態では、各注入口は、対応する供給導管１６７に連結されうる。同様に、各排出口は、対応する戻し導管に連結されうる。供給導管１６７及び戻し導管は、絶縁材料でできていてよい。流体供給導管１６７は、流体供給導管１６７と注入口との間の熱交換流体の漏れを防止するために、シールリング（例：圧縮型Ｏリング又は同様のガスケット材）を含みうる。幾つかの実施形態では、供給導管１６７の上端部は、チャンバ本体１０１の上面に配置された流体分配マニホールド１６３に連結されうる。流体分配マニホールド１６３は、供給ライン１６５を介して複数の流体供給導管の各々に熱交換流体を供給するために、複数の流体供給導管１６７に流体連結されうる。同様に、戻し導管の上端部は、チャンバ本体１０１の上面に配置された戻し導管マニホールド（図示していないが、１６３と同様である）に連結されうる。戻し導管マニホールドは、戻しラインを介して複数の流体戻し導管の各々から熱交換流体を戻すために、複数の流体戻し導管に流体連結されうる。
【００３４】
［００４６］  流体分配マニホールド１６３は、液体の形態の熱交換流体をバッキング板アセンブリ１６０に送るために、熱交換流体源（図示せず）に連結されうる。熱交換流体は、例えばエチレングリコール、脱イオン水、ペルフッ素化ポリエーテル（例えばＳｏｌｖａｙ社（Ｓｏｌｖａｙ  Ｓ．  Ａ．）から入手可能なＧａｌｄｅｎ（登録商標））等の、処理に対応できるいずれかの冷却液等、又は溶液又はこれらの組合せであってよい。幾つかの実施形態では、チャネル１６９又はチューブを通る冷却液の流れは合計で毎分約８〜約２０ガロンであってよいが、正確な流れは、冷却液チャネルの構成、利用可能な冷却液圧力等によって変化する。
【００３５】
［００４７］  中心開口部を有する導電性支持リング１６４は、カバー板１６２の周辺エッジに沿ってカバー板１６２の裏側に連結される。幾つかの実施形態では、導電性支持リング１６４は、別々の供給導管及び戻し導管の代わりに、流体供給ライン（図示せず）から熱交換流体を受け入れるリング注入口を含みうる。導電性支持リング１６４は、チューブ又はチャネル１６９に接続された注入口に熱交換流体を分配するために、導電性支持リング１６４の本体内に配置された注入マニホールドを含みうる。導電性支持リング１６４は、一又は複数の排出口から熱交換流体を受け入れるために、導電性支持リング１６４の本体内に配置された排出マニホールドと、導電性支持リング１６４から熱交換流体を排出するためのリング排出口とを含みうる。導電性支持リング１６４とバッキング板アセンブリ１６０とは、導電性支持リング１６４とカバー板１６２との間に液体シールを設けるために、処理に対応する形で互いにねじ式に留められうる、ピンで留められうる、ボルト締めされうる、又は固定されうる。導電性支持リング１６４とカバー板１６２との間にシールを設けやすくするために、Ｏリング又は他の適切なガスケット材料を提供することも可能である。
【００３６】
［００４８］  幾つかの実施形態では、ターゲットアセンブリ１１４は更に、ターゲットアセンブリ１１４をチャンバ本体１０１内で支持する中心支持部材１９２を備えうる。中心支持部材１９２は、バッキング板１６１とカバー板１６２の中心部に連結され、カバー板１６２の裏側から離れるように垂直に延びていてよい。幾つかの実施形態では、バッキング板１６１とカバー板１６２の中心開口部の中に中心支持部材１９２の底部が螺入されうる。他の実施形態では、バッキング板１６１とカバー板１６２の中心部に中心支持部材１９２の底部がボルト締めされうる、あるいは締め付けられうる。中心支持部材１９２の上部は、ソース分配板１５８を通して配置され、中心支持部材１９２とターゲットアセンブリ１１４とを支持するソース分配板１５８の上面に置かれる特徴を含みうる。
【００３７】
［００４９］  幾つかの実施形態では、ソース分配板からターゲットアセンブリ１１４の周辺エッジまで高周波エネルギーを伝播させるために、導電性支持リング１６４がソース分配板１５８とターゲットアセンブリ１１４の裏側との間に配置されうる。導電性支持リング１６４は円筒形であってよく、第１の端部１６６は、ソース分配板１５８の周辺エッジに近接するソース分配板１５８のターゲットに向いている面に連結され、第２の端部１６８は、ターゲットアセンブリ１１４の周辺エッジに近接するターゲットアセンブリ１１４のソース分配板に向いている面に連結される。幾つかの実施形態では、第２の端部１６８は、バッキング板アセンブリ１６０の周辺エッジに近接するバッキング板アセンブリ１６０のソース分配板に向いている面に連結される。
【００３８】
［００５０］  ＰＶＤ処理システム１００は、ターゲットアセンブリ１１４の裏側とソース分配板１５８との間に配置された空洞１７０を含みうる。空洞１７０は、以下に説明するようにマグネトロンアセンブリ１９６を少なくとも部分的に収納しうる。空洞１７０は、導電性支持リング１６４の内面、ソース分配板１５８のターゲットに向いている面、及びターゲットアセンブリ１１４（又はバッキング板アセンブリ１６０）のソース分配板に向いている面（例：裏側）によって少なくとも部分的に画定される。
【００３９】
［００５１］  接地板１５６と、ソース分配板１５８、導電性支持リング１６４、及びターゲットアセンブリ１１４（及び／又は、バッキング板アセンブリ１６０）の外面との間に絶縁用間隙１８０が設けられる。絶縁用間隙１８０は、空気、又はセラミック、プラスチック等の他の何らかの好適な誘電体材料で充填されていてよい。接地板１５６とソース分配板１５８との間の距離は、接地板１５６とソース分配板１５８との間の誘電体材料によって変わる。誘電体材料の大部分が空気である場合、接地板１５６とソース分配板１５８との間の距離は、約１５ｍｍと約４０ｍｍとの間であってよい。
【００４０】
［００５２］  接地アセンブリ１０３及びターゲットアセンブリ１１４は、シールリング１８１によって、及び接地板１５６の第１の面１５７とターゲットアセンブリ１１４の裏側、例えばソース分配板１５８のターゲットに面していない側との間に配置された一又は複数の絶縁体（図示せず）によって、電気的に分離されうる。
【００４１】
［００５３］  ＰＶＤ処理システム１００は、電極１５４（例：高周波供給構造）に接続された高周波又は直流電源１８２を有する。電極１５４は接地板１５６を通過し、ソース分配板１５８に連結されうる。高周波又は直流電源１８２は、例えば、作動中に高周波生成器に反射して戻る反射高周波エネルギーを最小限に抑えるために、高周波生成器と整合回路とを含みうる。例えば、高周波電源又は直流電源１８２によって供給される高周波エネルギーは、約１３．５６ＭＨｚから約１６２ＭＨｚ以上の周波数の範囲であってよい。例えば、１３．５６ＭＨｚ、２７．１２ＭＨｚ、４０．６８ＭＨｚ、６０ＭＨｚ、又は１６２ＭＨｚ等の非限定的な周波数が使用可能である。
【００４２】
［００５４］  幾つかの実施形態では、ＰＶＤ処理システム１００は、処理中にターゲットアセンブリ１１４に追加のエネルギーを送る第２のエネルギー源１８３を含みうる。幾つかの実施形態では、第２のエネルギー源１８３は、例えばターゲット材料のスパッタリング率（したがって、基板上の堆積率）を改善するために、直流エネルギーを送る直流電源であってよい。幾つかの実施形態では、第２のエネルギー源１８３は、例えば、高周波電源又は直流電源１８２によって送る高周波エネルギーの第１の周波数とは異なる第２の周波数で、高周波エネルギーを送る高周波又は直流電源１８２と同様の第２の高周波電源であってよい。第２のエネルギー源１８３が直流電源である実施形態では、第２のエネルギー源は、直流エネルギーをターゲットアセンブリ１１４、例えば電極１５４、又は他の何らかの導電性部材（以下に説明するソース分配板１５８等）に電気的に結合させるのに好適な任意の場所においてターゲットアセンブリ１１４に結合されうる。第２のエネルギー源１８３が第２の高周波電源である実施形態では、第２のエネルギー源は電極１５４を介してターゲットアセンブリ１１４に連結されうる。
【００４３】
［００５５］  電極１５４は、円筒形又はそうでなければ棒状であってよく、ＰＶＤ処理システム１００の中心軸１８６に対して揃えられていてよい（例：電極１５４は、中心軸１８６と一致するターゲットの中心軸と一致する点においてターゲットアセンブリに連結されうる）。ＰＶＤ処理システム１００の中心軸１８６に対して揃えられた電極１５４により、高周波電源又は直流電源１８２からターゲットアセンブリ１１４へ高周波エネルギーを軸対称に印加することが促進される（例えば、電極１５４は、ＰＶＤチャンバの中心軸に対して揃えられた単一点において、高周波エネルギーをターゲットに結合させうる）。電極１５４の中心位置により、基板堆積処理における堆積の非対称性をなくす、あるいは減らす助けとなる。電極１５４は、任意の適切な直径を有しうる。例えば、他の直径も使用可能であるが、幾つかの実施形態では、電極１５４の直径は約０．５〜約２インチであってよい。電極１５４は概して、ＰＶＤチャンバの構成に応じて、いずれかの好適な長さを有しうる。いくつかの実施形態では、電極は約０．５と約１２インチの間の長さを有しうる。電極１５４は、任意の適した導電性材料、例えばアルミニウム、銅、銀などから製造されうる。あるいは、いくつかの実施形態では、電極１５４は管状であってもよい。幾つかの実施形態では、管状電極１５４の直径は、例えばマグネトロンに中心軸をもたらしやすくなる適切なものであってよい。
【００４４】
［００５６］  電極１５４は接地板１５６を通って通過し、ソース分配板１５８に連結されうる。接地板１５６は、例えばアルミニウム、銅等のいずれかの好適な導電性材料を含みうる。一又は複数の絶縁体（図示せず）の間に開放空間があることによって、ソース分配板１５８の表面に沿った高周波伝播が可能になる。幾つかの実施形態では、一又は複数の絶縁体は、ＰＶＤ処理システムの中心軸１８６に対して対称に位置づけされうる。上記の位置づけは、ソース分配板１５８の表面に沿った、最終的にソース分配板１５８に連結されたターゲットアセンブリ１１４までの対称な高周波伝播を促進しうる。高周波エネルギーは、少なくとも一部において電極１５４の中心位置に起因して、従来のＰＶＤチャンバと比べてより対称に、また均一に送られうる。
【００４５】
［００５７］  マグネトロンアセンブリ１９６の一又は複数の部分は、少なくとも部分的に空洞１７０内に配置されうる。マグネトロンアセンブリは、チャンバ本体１０１内のプラズマ処理を支援するために、ターゲットに近接して回転磁場を発生させる。幾つかの実施形態では、マグネトロンアセンブリ１９６は、モータ１７６と、モータ軸１７４と、ギアボックス１７８と、ギアボックス軸アセンブリ１８４と、回転可能な磁石（例：磁石支持部材１７２に連結された複数の磁石１８８）と、仕切り１９４とを含みうる。幾つかの実施形態では、マグネトロンアセンブリ１９６は固定されたままである。
【００４６】
［００５８］  幾つかの実施形態では、マグネトロンアセンブリ１９６は、空洞１７０内で回転する。例えば、幾つかの実施形態では、磁石支持部材１７２を回転させるために、モータ１７６、モータ軸１７４、ギアボックス１７８、及びギアボックス軸アセンブリ１８４が設けられうる。マグネトロンを有する従来のＰＶＤチャンバでは、マグネトロンドライバ軸は通常、チャンバの中心軸に沿って配置され、チャンバの中心軸に対して揃えられた位置における高周波エネルギーとの結合が防止される。一又は複数の実施形態では、電極１５４は、ＰＶＤチャンバの中心軸１８６に対して揃えられている。このため、幾つかの実施形態では、マグネトロンのモータ軸１７４は、接地板１５６の中心から外れた開口部を通して配置されうる。接地板１５６から突出しているモータ軸１７４の端部は、モータ１７６に連結される。モータ軸１７４は更に、ソース分配板１５８（例：第１の開口部１４６）を通して対応する中心から外れた開口部を通して配置され、ギアボックス１７８に連結される。幾つかの実施形態では、ソース分配板１５８に沿って軸対称の高周波分配を有利に維持するために、ソース分配板１５８を通して、一又は複数の第２の開口部（図示せず）が、第１の開口部１４６に対して対称な関係に配置されうる。一又は複数の第２の開口部はまた、例えば光センサ等のアイテムの空洞１７０へのアクセスを可能にするためにも使用されうる。
【００４７】
［００５９］  ギアボックス１７８は、例えばソース分配板１５８の底面に連結されることなどによって、いずれかの好適な手段によって支持されうる。ギアボックス１７８は、少なくともギアボックス１７８の上面を誘電体材料から製造することによって、あるいは、ギアボックス１７８とソース分配板１５８との間に絶縁体層（図示せず）を介在させること等によって、又は好適な誘電体材料からモータ軸１７４を構成することによって、ソース分配板１５８から絶縁されうる。ギアボックス１７８は更に、モータ１７６によってもたらされる回転運動を磁石支持部材１７２（したがって、複数の磁石１８８）に伝達するために、ギアボックス軸アセンブリ１８４を介して磁石支持部材１７２に連結される。
【００４８】
［００６０］  磁石支持部材１７２は、複数の磁石１８８をしっかりと支持するのに十分な機械強度を付与するのに好適ないずれかの材料から構成されうる。例えば、幾つかの実施形態では、磁石支持部材１７２は、例えば非磁性ステンレス鋼等の非磁性金属から構成されうる。磁石支持部材１７２は、複数の磁石１８８を所望の位置で磁石支持部材１７２に連結させることを可能にするのに好適ないずれかの形状を有しうる。例えば、幾つかの実施形態では、磁石支持部材１７２は、板、円盤、横材等を含みうる。複数の磁石１８８は、所望の形状及び強度を有する磁場を発生させるようないずれかの方法で構成されうる。
【００４９】
［００６１］  あるいは、磁石支持部材１７２は、空洞１７０において、磁石支持部材１７２に、及び取り付けられている複数の磁石１８８（存在する場合）に生じる引張力に打ち勝つのに十分なトルクで、他のいずれかの手段によって回転しうる。例えば、幾つかの実施形態（図示せず）では、マグネトロンアセンブリ１９６は、空洞１７０内に配置され、磁石支持部材１７２（例えば、パンケーキモータ）に直接接続されたモータ１７６及びモータ軸１７４を使用して空洞１７０内で回転しうる。モータ１７６は、仕切り１９４がある場合に、空洞１７０内に、又は空洞１７０の上部内に適合するのに十分なサイズに設定されうる。モータ１７６は、必要なトルクを付与できる電気モータ、空気圧又は油圧ドライバ、又は他のいずれかの処理対応型機構であってよい。
【００５０】
［００６２］  ここで図２〜図４を参照すると、従来のターゲットアセンブリ２００が示されており、ターゲットアセンブリ２００は、ターゲット２１０と、バッキング板２１２と、接地板２５６と、高周波電源又は直流電源２８２と、空洞２７０内のマグネトロンアセンブリ２９６（図４に示す）とを含む。空洞２７０は、ターゲットアセンブリの裏側と、流体注入端部２１８と流体排出端部２２０の延長部も含むソース分配板との間に配置された流れ空間又は空洞である。既存の設計では、この空洞は、図１の空洞１７０に対応し、ターゲット２１０の熱交換流体で充填され、チャネルを用いずにバッキング板２１２の上に熱交換流体を流すことによってバッキング板２１２全体を冷却する。図３に、ターゲットアセンブリの裏側とソース分配板との間に配置された空洞に形成された流体導管２２２を示す図２の線３−３に沿って切り取った断面図を示す。図３に、ターゲットアセンブリの裏側とソース分配板との間に形成された流体導管２２２の簡略断面図を提供する。図２〜図４に示した構成では、ターゲット２１０は冷却されるが、冷却液が継続的に交換されないために効率的には冷却されず、これが原因でターゲット温度が高くなり、ターゲットの反り、剥離、粒子の生成及び欠陥につながりうる。
【００５１】
［００６３］  ここで図５及び図６を参照すると、ＰＶＤ処理システム１００のターゲットアセンブリとして一体化されうる、物理的気相堆積ターゲットアセンブリ３１４の第１の実施形態が図１に示されている。図５及び図６に示した実施形態では、物理的気相堆積ターゲットアセンブリ３１４は、物理的気相堆積（又はスパッタリング）処理中に基板に堆積される原料３１３を含む。原料３１３は、金属、金属酸化物、金属合金等であってよい。特定の実施形態では、原料はモリブデンを含む。他の特定の実施形態では、原料は、ケイ素、チタン、又は他のいずれかの物質を含む。一又は複数の実施形態では、ターゲットアセンブリ３１４は、原料３１３を支持するために、バッキング板アセンブリ３６０を含む。原料３１３は、バッキング板アセンブリ３６０の側面に向いた基板支持体に配置されうる。バッキング板アセンブリ３６０は、導電性材料、例えば銅−亜鉛、銅−クロム、又はターゲットと同じ材料を含んでいてよく、これにより、バッキング板アセンブリ３６０を介して原料３１３に高周波及び直流電力が結合されうる。あるいは、バッキング板アセンブリ３６０は非導電性であってよく、例えば電気フィードスルー等の導電素子（図示せず）を含んでいてよい。特定の実施形態では、バッキング板アセンブリは、クロム銅合金であるＣ１８２００合金を備える。
【００５２】
［００６４］  一又は複数の実施形態では、バッキング板アセンブリ３６０は、バッキング板３６１を含む。バッキング板アセンブリ３６０はオプションとして、カバー板３６２（図７Ａ、７Ｂ及び７Ｃに示す）を含みうる。バッキング板３６１とオプションのカバー板３６２とは、図１に示すＰＶＤ処理システム１００、又は他の好適なＰＶＤ処理システムによって収容可能な円盤状、長方形、正方形、又は、他のいずれかの形状であってよい。バッキング板３６１の前面３７０は、ＰＶＤ処理中に原料３１３の前面が基板に対向するように、原料３１３を支持するように構成される。原料３１３は、いずれかの好適な方法でバッキング板３６１に結合されうる。例えば、幾つかの実施形態では、原料３１３はバッキング板３６１に拡散接合されうる。
【００５３】
［００６５］  バッキング板３６１とカバー板３６２との間に複数のチャネル３６９が配置されうる。一又は複数の実施形態では、図７Ｂに示すように、バッキング板３６１は、バッキング板３６１の裏側に形成された複数のチャネル３６９を有していてよく、カバー板３６２は各チャネルの上のキャップ／カバーを提供する。他の実施形態では、複数のチャネル３６９は、（図７Ｃに示すように）部分的にバッキング板３６１に、部分的にカバー板３６２に形成されうる。また、他の実施形態では、図７Ａに示すように、複数のチャネル３６９は完全にカバー板３６２内に形成され、バッキング板３６１は、複数のチャネル３６９の各々をキャップ／カバーしうる。
【００５４】
［００６６］  一部の実施形態では、バッキング板３６１とカバー板３６２とは互いに連結されうる。幾つかの実施形態では、複数のチャネル３６９は、冷却流体を流すように構成され、バッキング板３６１とカバー板３６２とは、複数のチャネル３６９に送られる冷却液の漏れを防止するために互いに連結され、実質的な防水又は液密シール（例：バッキング板３６１とカバー板３６２との間の流体又は液体シール）を形成する。つまり、冷却流体は、チャネル３６９と直接接触するということである。例えば、幾つかの実施形態では、バッキング板３６１とカバー板３６２とは互いにろう付けされて実質的な防水シールを形成する、あるいは、バッキング板３６１とカバー板３６２とは拡散接合、ろう付け、糊付け、ピン止め、リベット打ち、又は他のいずれかの固定手段によって結合されて、液体シールを形成し、バッキング板３６１とカバー板３６２との間に形成されたチャネル３６９は、冷却流体と直接接触する。
【００５５】
［００６７］  図５及び図６に示した実施形態等の幾つかの実施形態では、冷却流体が、チャネル３６９内に配置された冷却チューブ３８０内に含まれるため、バッキング板３６１とカバー板３６２との間に流体密封シールは必要ない。他の実施形態では、冷却流体は冷却チューブ３８０内に含まれるため、カバー板３６２は全く必要ない。
【００５６】
［００６８］  特定の第１の実施形態では、物理的気相堆積ターゲットアセンブリ３６０は、原料３１３と、前面３７０と裏面３７２とを有するバッキング板３６１と、バッキング板３６１の前面３７０で原料３１３を支持するように構成されたバッキング板３６１とを含む。第１の実施形態は更に、冷却流体に接続されるように構成された注入端部３９０と、注入端部に流体連結された排出端部３９２と、注入端部３９０と排出端部３９２との間の複数の湾曲部３９６とを含む冷却チューブ３８０であって、物理的気相堆積処理中に、バッキング板と原料３１３とを冷却するためにバッキング板３６１の裏面３７２に隣接して配置されるように構成された冷却チューブ３８０を含む。
【００５７】
［００６９］  第２の実施形態では、冷却チューブ３８０は、バッキング板３６１から分離され、冷却チューブは冷却流体を含む冷却閉ループを提供する。つまり、冷却流体又は冷却液は、バッキング板のチャネル３６９と直接接触しないということである。
【００５８】
［００７０］  上述したように、冷却流体は、複数の湾曲部を有する冷却チューブを通って流れうる、あるいは、冷却流体は、バッキング板３６１とカバー板３６２との間のチャネルを通って流れうる。いずれの場合にも、冷却チューブ３８０又はチャネル３６９は、冷却流体が流れ、流体の流れパターンが画定される流体導管を提供する。図８〜図１０は、図５に示す複数の湾曲部３９６を有する冷却チューブ３８０を含みうる、又は例えば図７Ａ、図７Ｂ及び図７Ｃに示すように、バッキング板３６１とカバー板３６２との間に形成されたチャネルを含みうる流れパターンの例示の実施形態を示す。
【００５９】
［００７１］  図８に、複数の列部４００を含む流れパターン又は流路を示す。図示した実施形態では、列部は実質的に平行である。図示した特定の実施形態では、少なくとも８つの列部４００と、単一の注入部と単一の排出部が存在する。図８において、注入端部３９０は注入列４０２に流体接続されている。図８において、列部４００ａと列部４００ｂとで第１の列部のペアが形成され、列部４００ｅ、及び列部４００ｆにより第２の列部のペアが形成されている。列部４００ａと４００ｂとを含む第１の列部のペアは、分岐（ｓｐｌｉｔ）接続４２０によって列部４００ｅと４００ｆとを含む第２の列部のペアに流体接続されている。したがって、図８では、注入列４０２は、列部４００ａと列部４００ｂとを含む第１の列部のペアと、列部４００ｅと４００ｆとを含む第２の列部のペアに流体の流れを分割あるいは分ける分岐接続４２０に流体接続された注入端部に流体接続されている。幾つかの実施形態では、流れパターンは、注入列４０２の第１の側面４０１に列部４００ａ、列部４００ｂ、列部４００ｃ及び列部４００ｄを含み、注入列４０２の第２の側面４０３に列部４００ｅ、列部４００ｆ、列部４００ｇ及び列部４００ｈを含む。したがって、第１の側面４０１は、２つの列部のペアを含み、第１の側面の反対側の第２の側面４０３は、２つの列部のペアを含む。図８を再度参照すると、流れパターンのペアの隣接する列部は、湾曲部において流体連結されている。したがって、図８において、列部４００ａと列部４００ｂとは湾曲部４０５で流体連結され、列部４００ｃと列部４００ｄとは湾曲部４０７で流体連結され、列部４００ｅと列部４００ｆとは湾曲部４０９で連結され、列部４００ｇと列部４００ｈとは湾曲部４１１で連結されている。湾曲部４１３は列部４００ｂと列部４００ｃとを流体連結し、湾曲部４１５は列部４００ｆと列部４００ｇとを流体連結している。湾曲部４１７は、注入列４０２を列部４００ｄと列部４００ｈとに流体連結する分岐接続４２０を提供する。したがって、分岐接続４２０は、三方接続と見なされる。図８において、矢印は、列部内で流れる流体の方向を示している。したがって、液体であってよい流体は、注入端部３９０を通り注入列４０２に沿って分岐接続４２０まで流れ、分岐接続４２０において流れは第１の側面４０１と第２の側面４０３の２つの方向に分流する。第１の側面において、流体は、列部４００ｄを注入列４０２の流れの反対方向に流れ、湾曲部４０７を回った後に、列部４００ｃを注入列４０２の流れと同じ方向に流れ、その後湾曲部４１３を回って、列部４００ｄを注入列４０２の流れ方向とは反対の方向に流れて湾曲部４０５を回り、列部４００ａを注入列４０２と同じ方向に流れる。流体は、列部４００ａから排出端部３９２に向かって流れる。第２の側面４０３でも同様の流れパターンが見られ、第２の側面４０３では、液体の形態の流体が注入列４０２内を図示した方向に分岐接続４２０まで流れ、その後、注入列４０２の流れ方向とは反対の方向に列部４００ｈへ流れ、湾曲部４１１を回ってから、列部４００ｇを注入列４０２の流れと同じ方向に流れ、湾曲部４１５を回って、注入列４０２の流れとは反対の方向に列部４００���へ流れ、湾曲部４０９を回って、列部４００ｅを注入列４０２と同じ流れ方向に流れる。流体は、一又は複数の実施形態にしたがって、注入列４０２から排出端部３９２に向かって流れ、排出端部３９２においてその後再循環し、冷却される。したがって、図示した実施形態では、少なくとも８つの列部４００と少なくとも５つの湾曲部、及び単一の注入口及び単一の排出口が存在する。図８に示す実施形態に示される注入端部と排出端部を逆にすることができ、その結果、流体は直前に説明したものとは逆の方向に流れることになる。
【００６０】
［００７２］  図９は、注入端部６９０が、列部６００ａ、６００ｂ、６００ｃ、６００ｄ、６００ｅ、６００ｆ、及び６００ｇによって、排出端部６９２に流体連結されていることを示す代替的な実施形態を示している。列部６００ａと列部６００ｂは湾曲部６０５によって流体連結され、列部６００ｂと列部６００ｃは湾曲部６０７によって流体連結され、列部６００ｃと列部６００ｄは湾曲部６０９によって流体連結され、列部６００ｄと列部６００ｅは湾曲部６１１によって流体連結され、列部６００ｅと列部６００ｆは湾曲部６１３によって流体連結され、列部６００ｆと列部６００ｇは湾曲部６１５によって流体連結され、連続的な流路を提供する。
【００６１】
［００７３］  図１０は、２つの排出端部７９２ａ及び７９２ｂに流体連結された注入端部７９０を含む、別の実施形態を示している。この実施形態には、少なくとも８つの列部、少なくとも５つの湾曲部、１つの注入端部と２つの排出端部が示されている。注入端部７９０は、第１の側面７０１と第１の側面に向かい合う第２の側面７０３を備えた流路をもたらす注入列７０２に流体連結されている。図１０において、列部７００ａと列部７００ｂとで第１の列部のペアが形成され、列部７００ｅと列部７００ｆにより第２の列部のペアが形成されている。列部７００ａと７００ｂとを含む第１の列部のペアは、分岐接続７２０によって列部７００ｅと７００ｆとを含む第２の列部のペアに流体接続されている。したがって、図１０では、注入列７０２は、列部７００ａと列部７００ｂとを含む第１の列部のペアと、列部７００ｅと７００ｆとを含む第２の列部のペアに流体の流れを分割あるいは分ける分岐接続７２０に流体接続された注入端部７９０に流体接続されている。幾つかの実施形態では、流れパターンは、注入列７０２の第１の側面７０１に列部７００ａ、列部７００ｂ、列部７００ｃ及び列部７００ｄを含み、注入列７０２の第２の側面７０３に列部７００ｅ、列部７００ｆ、列部７００ｇ及び列部７００ｈを含む。したがって、第１の側面７０１は、２つの列部のペアを含み、第１の側面の反対側の第２の側面７０３は、２つの列部のペアを含む。図１０を再度参照すると、流れパターンのペアの隣接する列部は、湾曲部において流体連結されている。したがって、図１０において、列部７００ａと列部７００ｂとは湾曲部７０５で流体連結され、列部７００ｃと列部７００ｄとは湾曲部７０７で流体連結され、列部７００ｅと列部７００ｆとは湾曲部７０９で連結され、列部７００ｇと列部７００ｈとは湾曲部７１１で連結されている。湾曲部７１３は列部７００ｂと列部７００ｃとを流体連結し、湾曲部７１５は列部７００ｆと列部７００ｇとを流体連結している。湾曲部７１７は、注入列７０２を列部７００ｄと列部７００ｈとに流体連結する分岐接続７２０を提供する。したがって、分岐接続７２０は、三方接続と見なされる。図１０において、矢印は、列部内で流れる流体の方向を示している。したがって、液体であってよい流体は、注入端部７９０を通り注入列７０２に沿って分岐接続７２０まで流れ、分岐接続７２０において流れは第１の側面７０１と第２の側面７０３の２つの方向に分流する。第１の側面において、流体は、列部７００ｄを注入列７０２の流れの反対方向に流れ、湾曲部７０７を回った後に、列部７００ｃを注入列７０２の流れと同じ方向に流れ、その後湾曲部７１３を回って、列部７００ｂを注入列７０２の流れ方向とは反対の方向に流れて湾曲部７０５を回り、列部７００ａを注入列７０２と同じ方向に流れる。流体は、列部７００ａから排出端部７９２ａに向かって流れる。第２の側面７０３でも同様の流れパターンが見られ、第２の側面７０３では、液体の形態の流体が注入列７０２内を図示した方向に分岐接続７２０まで流れ、その後、注入列７０２の流れ方向とは反対の方向に列部７００ｈへ流れ、湾曲部７１１を回ってから、列部７００ｇを注入列７０２の流れと���じ方向に流れ、湾曲部７１５を回って、注入列７０２の流れとは反対の方向に列部７００ｆへ流れ、湾曲部７０９を回って、列部７００ｅを注入列７０２と同じ流れ方向に流れる。流体は、一又は複数の実施形態にしたがって、注入列７０２から排出端部７９２ｂに向かって流れ、排出端部７９２ｂにおいてその後再循環し、冷却される。一又は複数の実施形態にしたがって、流体の流れは逆転又は入れ替わることがあり、流体は排出端部から注入端部へ流れることがありうる。つまり、図１０の実施形態に示した注入端部と排出端部は入れ替え可能で、これにより、熱交換流体を前述の方向とは反対の方向に流すことができる。
【００６２】
［００７４］  第３の実施形態では、複数の湾曲部により複数の列部を含む流れパターンが画定され、バッキング板が更に、冷却チューブを受容するように構成された裏面にチャネルを含むように第１又は第２の実施形態を変更することができる。第４の実施形態では、第１〜第３の実施形態が、複数の湾曲部により複数の列部を含む流れパターンが画定され、バッキング板が更に、冷却チューブを受容するように構成された裏面にチャネルを含むようになる。
【００６３】
［００７５］  第５の実施形態では、流れパターンが少なくとも４つの列部と少なくとも２つの湾曲部とを含むように、第１〜第４の実施形態を変更することができる。第６の実施形態では、流れパターンが少なくとも６つの列部と５つの湾曲部とを含むように、第１〜第４の実施形態を変更することができる。第７の実施形態では、流れパターンが少なくとも８つの列部と６つの湾曲部とを含むように、第１〜第４の実施形態を変更することができる。
【００６４】
［００７６］  第８の実施形態では、流れパターンは第１の列部のペアと第２の列部のペアと、分岐接続によって第１の列部のペアと第２の列部のペアとに流体接続されている単一の列部に流体接続されている注入端部と、第１の列部のペアと第２の列部のペアとに流体接続されている排出端部とを含む。第９の実施形態では、流れパターンは第１の列部のペアと第２の列部のペアと、分岐接続によって第１の列部のペアと第２の列部のペアとに流体接続されている単一の列に流体接続されている注入端部と、第１の列部のペアと第２の列部のペアとに流体接続されている排出端部とを含む。
【００６５】
［００７７］  一又は複数の実施形態では、冷却チューブは単一の注入端部と単一の排出端部とを含む。一又は複数の実施形態では、冷却チューブは、単一の注入端部と第１の排出端部と第２の排出端部とを含み、第１の排出端部は第１の列部のペアに流体接続され、第２の排出端部は第２の列部のペアに流体接続されている。一又は複数の実施形態では、アセンブリは更に、カバー板と、バッキング板とカバー板との間に配置されている冷却チューブとを含む。一又は複数の実施形態では、冷却チューブ又はチャネルは、複数の注入端部と複数の排出端部のうちの少なくとも１つを含む。これは、冷却チューブが複数の注入端部と単一の排出端部、単一の注入端部と複数の排出端部、又は複数の注入端部と複数の排出端部を有しうることを意味する。複数の注入端部を有する一又は複数の実施形態では、全ての注入端部は、単一の供給導管に接続されうる、あるいは、複数の供給導管に流体接続されうる。同様に、複数の排出端部を有する実施形態では、全ての排出端部は、単一の戻し導管に接続されうる、あるいは、複数の戻し導管に流体接続されうる。
【００６６】
［００７８］  一又は複数の実施形態は、物理的気相堆積ターゲットアセンブリに関連し、物理的気相堆積ターゲットアセンブリは、原料と、前面及び裏面を有し且つ前面で原料を支持するように構成されたバッキング板と、バッキング板に連結されたカバー板とを含み、カバー板とバッキング板との間にチャネルが配置され、チャネルは、注入端部と排出端部とに流体接続されている少なくとも４つの列部と３つの湾曲部とを含む流れパターンを画定する複数の湾曲部を含み、物理的気相堆積処理中にバッキング板とターゲットとを冷却するために、バッキング板の裏面に隣接して冷却流体を流すように構成されている。
【００６７】
［００７９］  一又は複数の実施形態では、チャネルは、注入端部に流体接続されている注入列を含む少なくとも５つの列部を含む流れパターンを画定し、注入列は、分岐接続によって第１の列部のペアと第２の列部のペアとに流体接続されている。一又は複数の実施形態では、チャネルは、少なくとも６つの列部と５つの湾曲部とを含む流れパターンを画定している。一又は複数の実施形態では、チャネルは、少なくとも８つの列部と６つの湾曲部とを含む流れパターンを画定している。
【００６８】
［００８０］  一又は複数の実施形態では、チャネルは、第１の列部のペアと第２の列部のペアと、分岐接続によって第１の列部のペアと第２の列部のペアとに流体接続されている単一の列に流体接続されている注入端部と、第１の列部のペアと第２の列部のペアとに流体接続されている排出端部とを含む流れパターンを画定している。一又は複数の実施形態では、チャネルは、単一の注入端部と単一の排出端部とに流体接続されている。一又は複数の実施形態では、チャネルは、単一の注入端部と第１の排出端部と第２の排出端部とに流体接続され、第１の排出端部は、第１の列部のペアに流体接続され、第２の排出端部は第２の列部のペアに流体接続されている。特定の実施形態では、チャネルは、複数の注入端部と複数の排出端部のうちの少なくとも１つに流体接続されている。これは、チャネルが複数の注入端部と単一の排出端部、単一の注入端部と複数の排出端部、又は複数の注入端部と複数の排出端部を有しうることを意味する。複数の注入端部を有する一又は複数の実施形態では、全ての注入端部は、単一の供給導管に接続されうる、あるいは、複数の供給導管に流体接続されうる。同様に、複数の排出端部を有する実施形態では、全ての排出端部は、単一の戻し導管に、あるいは、複数の戻し導管に流体接続されうる。
【００６９】
［００８１］  特定の実施形態では、チューブは、前記チャネル内に配置され、注入端部と排出端部とに流体接続されている。
【００７０】
［００８２］  物理的気相堆積ターゲットを冷却する方法に関する別の態様は、本書に記載の装置を通して冷却流体を継続的に流すことを含む方法である。
【００７１】
［００８３］  本書に記載の物理的気相堆積ターゲットアセンブリの一又は複数の実施形態は、図１に示すＰＶＤ処理システム１００で使用可能である。一又は複数の実施形態では、装置を通して液体の形態の冷却流体を継続的に流すことで、未使用の冷却流体がバッキング板に継続的に接触するように、冷却流体が交換される。このような設計は、現在の図２及び図３に示す種類の設計と比較して、ターゲット温度の２５％の低下をもたらすためのモデルにおいて有益に示されている。本開示に記載の設計は、より効率的で効果的な熱伝達を提供するという課題に解決策を与える、冷却流体／液体の連続的な交換を提供し、その結果、ターゲットの冷却が向上し、粒子の生成が抑えられ、ターゲットの反りが防止される。水等の液体の形態の冷却流体は、チャネルの１つの端部から供給され、幾つかのねじれ、折り返し及び湾曲部を含む蛇行路であってよい曲がりくねった経路を通過した後で別の端部から排出される。この設計により、ターゲットの寿命も有益に延びる。これらの利点は、三次元活用モデルを使用し、既存のターゲットアセンブリの設計を本書に記載のターゲットアセンブリの設計と比べることによって示されている。
【００７２】
［００８４］  本書に記載のターゲットアセンブリは、極紫外線（ＥＵＶ）マスクブランクの製造に特に有用でありうる。ＥＵＶマスクブランクは、マスクパターンを有する反射マスクを形成するために使用される光学的に平坦な構造である。一又は複数の実施形態では、ＥＵＶマスクブランクの反射面は、極紫外線等の入射光を反射させるための平坦な焦点面を形成する。ＥＵＶマスクブランクは、ＥＵＶレチクル等の極紫外線反射素子に構造支持体を提供する基板を含む。一又は複数の実施形態では、基板は、温度が変化する間の安定性を付与するために、低い熱膨張係数（ＣＴＥ）を有する材料から作られる。一又は複数の実施形態による基板は、ケイ素、ガラス、酸化物、セラミック、ガラスセラミック、又はこれらの組み合わせ等の材料から形成される。
【００７３】
［００８５］  ＥＵＶマスクブランクは、極紫外線に対して反射性を有する構造である多層スタックを含む。多層スタックは、第１の反射層と第２の反射層の交互反射層を含む。第１の反射層と第２の反射層は、反射ペアを形成する。非限定的な実施形態では、多層スタックは、２０〜６０個の範囲の反射ペア、合計で最大１２０個の反射層を含む。
【００７４】
［００８６］  第１の反射層と第２の反射層は、様々な材料から形成されうる。一実施形態では、第１の反射層と第２の反射層はそれぞれ、ケイ素とモリブデンから形成される。多層スタックは、ブラッグリフレクタ又はミラーを作るために異なる光学特性を有する材料の薄層を交互に有することによって、反射性構造を形成する。例えばモリブデン及びケイ素の交互層は、例えばマルチカソードソースチャンバ内で物理的気相堆積によって形成されうる。
【００７５】
［００８７］  ここで図１１を参照すると、一実施形態によるマルチカソードソースチャンバ５００の上部が示されている。マルチカソードチャンバ５００は、上部アダプタ５０４によって覆われている円筒形本体部５０２を有する基礎構造５０１を含む。上部アダプタ５０４は、上部アダプタ５０４の周りに配置されたカソードソース５０６、５０８、５１０、５１２、及び５１４等の幾つかのカソードソースを提供する。多層スタックだけでなく、キャッピング層及び吸収体層を形成するために、マルチカソードソースチャンバ５００内で図１に関連して説明したＰＶＤ処理システム１００を用いることができる。例えば、物理的気相堆積システムは、ケイ素、モリブデン、酸化チタン、二酸化チタン、酸化ルテニウム、酸化ニオブ、ルテニウムタングステン、ルテニウムモリブデン、ルテニウムニオブ、クロム、タンタル、窒化物、化合物、又はこれらの組み合わせの層を形成しうる。幾つかの化合物を酸化物として記載したが、化合物には酸化物、二酸化物、酸素原子を有する原子混合物、又はこれらの組み合わせが含まれうると理解されたい。
【００７６】
［００８８］  この明細書全体を通じて、「一実施形態」、「特定の実施形態」、「一又は複数の実施形態」、又は「実施形態」に対する言及は、実施形態に関連して説明されている特定の特徴、構造、材料、又は特性が、本開示の少なくとも１つの実施形態に含まれることを意味する。したがって、この明細書全体の様々な箇所での「一又は複数の実施形態で」、「特定の実施形態で」、「一実施形態で」、又は「実施形態で」などの表現は、必ずしも、本開示の同一の実施形態に言及するものではない。さらに、特定の特徴、構造、材料、又は特性は、一又は複数の実施形態において任意の適切な様態で組み合わせることができる。  
【００７７】
［００８９］  本書の開示は特定の実施形態を参照して説明されているが、これらの実施形態は、本開示の原理及び用途の例示にすぎないことを理解されたい。本開示の精神及び範囲から逸脱することなく、本開示の方法及び装置に対して様々な改変及び変形を行いうることが、当業者には明らかになろう。したがって、本開示は、添付の特許請求の範囲及びその均等物の範囲内である改変例及び変形例を含むことが意図されている。
【図１】
2020504244.tif 000003
【図２】
2020504244.tif 000004
【図３】
2020504244.tif 000005
【図４】
2020504244.tif 000006
【図５】
2020504244.tif 000007
【図６】
2020504244.tif 000008
【図７Ａ】
2020504244.tif 000009
【図７Ｂ】
2020504244.tif 000010
【図７Ｃ】
2020504244.tif 000011
【図８】
2020504244.tif 000012
【図９】
2020504244.tif 000013
【図１０】
2020504244.tif 000014
【図１１】
2020504244.tif 000015
【国際調査報告】
2020504244.tif 000016
2020504244.tif 000017